(57)【要約】【課題】本発明は、電子機器におけるコネクタを用いたインタフェース仕様に対応できる信号伝送用ケーブルを提供するものである。【解決手段】本発明は、２本の信号線１１０を金属層側を外向きにした金属ラミネートテープ１３０により集合させて信号線ユニット１４０とし、グランド線１２０、信号線ユニット１４０、グランド線１２０、信号線ユニット１４０、及びグランド線１２０の順に水平に並べると共に、各グランド線１２０は金属ラミネートテープ１３０の金属層側に接触させてなる信号伝送用ケーブルにあり、これによって、使い勝手に優れ、また、低コストのケーブルが得られる。【選択図】  図１
2004303697.tif 000002
【特許請求の範囲】
【請求項１】
少なくとも２本の信号線を金属層側を外向きにした金属ラミネートテープにより集合させて信号線ユニットとし、少なくともグランド線、前記信号線ユニット、グランド線、前記信号線ユニット、及びグランド線の順に水平に並べると共に、各グランド線は前記金属ラミネートテープの金属層側に接触させてなることを特徴とする信号伝送用ケーブル。
【請求項２】
前記金属ラミネートテープがアルミラミネートテープであることを特徴とする請求項１記載の信号伝送用ケーブル。
【請求項３】
少なくとも２本の信号線を金属層側を外向きにした金属ラミネートテープにより集合させて信号線ユニットとし、グランド線、前記信号線ユニットの順に並べると共に、前記グランド線は前記金属ラミネートテープの金属層側に接触させてなることを特徴とする信号伝送用ケーブル。
【発明の詳細な説明】
【０００１】
【産業上の利用分野】
本発明は、電子機器におけるコネクタを用いたインタフェース仕様に対応できる信号伝送用ケーブルに関するものである。
【０００２】
【従来の技術】
電子機器、例えばＨＤＤやＣＤドライブ、ＤＶＤ−ＲＯＭドライブなどにおけるコネクタを用いたインタフェース仕様（規格）には種々の仕様がある。例えば、その一つにパラレル方式のＡＴアタッチメント仕様（以下ＡＴＡという）があって、そのデータ転送速度は１００〜１３３ＭＢ／ｍｉｎ程度であるが、近年の情報量の増加により限界に達してきている。このため、よりデータ転送速度の速い、１５０ＭＢ／ｍｉｎ程度のシリアル方式のＡＴＡが提案されている。このシリアル方式のＡＴＡは、使用するケーブルの芯線数が、これまでのパラレル方式のＡＴＡの４０本に対して、７本と少なく取扱い易い設計となっている。
【０００３】
このようなインタフェース仕様に対応した信号伝送用ケーブルとして、従来、図２に示すような、ケーブル２００が提案されている。このケーブル２００は、２本の信号線２１０とその左右に縦添えした２本のグランド線（ドレイン線）２２０を水平に並べ、これらをアルミラミネートテープ２３０により集合させて信号線ユニット２４０とし、この信号線ユニット２４０の一対を、少々離間させる形で水平に並べた上で外皮２５０を施してある。
【０００４】
【発明が解決しようとする課題】
ところが、このような構造のケーブル２００では、次のような問題があった。先ず、シリアル方式のＡＴＡのコネクタにおけるコンタクト数は７本であるため、このケーブル２００の場合、コネクタ接続において、中央寄りの２本のグランド線２２０を撚って１本にまとめしたして、７本にして接続する必要があり、結構面倒であると同時に、作業工程が増え、作業性が悪いという問題もあった。さらに、構造的にも、ラミネートテープ２３０が２本の信号線２１０と左右２本のグランド線２２０を一緒にして被覆する構成であるため、テープ使用量が増えるという問題もあった。
【０００５】
本発明は、このような従来の問題点に鑑みてなされたもので、基本的には、例えば２本の信号線のみを金属ラミネートテープにより集合させて信号線ユニットとし、この信号線ユニットの２個と３本のグランド線でケーブルを構成することにより、シリアル方式のＡＴＡに対応したコネクタにスムーズに適合する共に、テープ使用量の低減によってコストダウンを図った信号伝送用ケーブルを提供せんとするものである。
【０００６】
【課題を解決するための手段】
請求項１記載の本発明は、少なくとも２本の信号線を金属層側を外向きにした金属ラミネートテープにより集合させて信号線ユニットとし、少なくともグランド線、前記信号線ユニット、グランド線、前記信号線ユニット、及びグランド線の順に水平に並べると共に、各グランド線は前記金属ラミネートテープの金属層側に接触させてなることを特徴とする信号伝送用ケーブルにある。
【０００７】
請求項２記載の本発明は、前記金属ラミネートテープがアルミラミネートテープであることを特徴とする請求項１記載の信号伝送用ケーブルにある。
【０００８】
請求項３記載の本発明は、少なくとも２本の信号線を金属層側を外向きにした金属ラミネートテープにより集合させて信号線ユニットとし、グランド線、前記信号線ユニットの順に並べると共に、前記グランド線は前記金属ラミネートテープの金属層側に接触させてなることを特徴とする信号伝送用ケーブルにある。
【０００９】
【発明の実施の形態】
図１は、本発明に係る信号伝送用ケーブルの一実施例を示したものである。この信号伝送用ケーブル１００は、２本の信号線１１０を金属層側を外向きにした金属ラミネートテープ１３０により集合させて信号線ユニット１４０とし、この信号線ユニット１４０の一対と３本のグランド線１２０とを、グランド線１２０、信号線ユニット１４０、グランド線１２０、信号線ユニット１４０、及びグランド線１２０の順に水平に並べると共に、各グランド線１２０は金属ラミネートテープ１３０の金属層側に接触させ、さらに、これらの外周に外皮１５０を施してなる。なお、１１１は信号線１１０の導体、１１２は絶縁体である。
【００１０】
上記金属ラミネートテープ１３０は、特に限定されず、アルミラミネートテープが、又は銅箔ラミネートテープなどが使用できる。しかし、コスト上の点からすると、アルミラミネートテープの使用が好ましい。また、信号線１１０のユニット化にあたっては、このラミネートテープを巻き付けるか、或いは、縦添えすることも可能である。
【００１１】
これにより、芯線数が７本で、シリアル方式のＡＴＡに対応したコネクタにスムーズに適合することができる。また、３本のグランド線１２０と金属層側を外向きにした金属ラミネートテープ１３０とが電気的に一体化されるため、特性的にも、外部ノイズに対してバランスの取れた構造となる。
【００１２】
なお、上記実施例の信号伝送用ケーブル１００では、２本の信号線１１０からなる信号線ユニット１４０の一対と３本のグランド線１２０を有するケーブルであったが、本発明はこれに限定されない。例えば、インタフェース仕様によっては、信号線ユニット１４０の信号線１１０を増やしたり、さらには、信号線ユニット１４０とグランド線１２０を適宜増減させた構造とすることも可能である。
【００１３】
【発明の効果】
以上の説明から明らかなように、本発明に係る信号伝送用ケーブルによると、次のような優れた効果が得られる。
【００１４】
（１）先ず、総芯線数を７本とした場合、シリアル方式のＡＴＡに対応したコネクタへの接続にあたって、従来の８芯線数タイプのケーブルのように、中央寄りの２本のグランド線の処理、例えば、これらを撚り合わせたり、上下に重ねて並べたりたするなどの処理が不要となり、スムーズに対応することができるため、使い勝手に優れたケーブルが得られる。勿論、撚り合わせや重ね合わせなどの処理が不要となるため、その分のコストダウンも可能となる。
【００１５】
（２）次に、構造的にも、金属ラミネートテープでは２本の信号線のみを被覆する構成であるため、上記した従来ケーブルに比較して、テープ使用量が低減でき、この面からのコストダウンも可能となる。
【００１６】
（３）また、従来の８芯線数タイプのケーブルに比較して、総芯線数を７本とした場合、中央寄りのグランド線が１本で済むため、もう１本のグランド線が不要となることから、グランド線１本分のコストダウンが可能となる。
【００１７】
（４）総芯線数が７本の場合、左右と中央の３本のグランド線と信号線ユニットの金属層側を外向きにした金属ラミネートテープとが電気的に一体化されるため、特性的にも、外部ノイズに対してバランスの取れた構造のケーブルが得られる。
【図面の簡単な説明】
【図１】本発明に係る信号伝送用ケーブルの一実施例を示した縦断面図である。
【図２】従来の信号伝送用ケーブルを示した縦断面図である。
【符号の説明】
１００              信号伝送用ケーブル
１１０              信号線
１２０              グランド線
１３０              金属ラミネートテープ
１４０              信号線ユニット
１５０              外皮
【図１】
2004303697.tif 000003
【図２】
2004303697.tif 000004